(57)【要約】【課題】光源部と電源装置を器具本体内に配置した照明器具において、放熱性を高める。【解決手段】半導体発光素子６２を有する光源部６０と、光源部６０の点灯電流を制御する電源装置７０と、光源部６０を収容する光源収容部２３と、電源装置７０を収容する電源収容部２４と、複数の放熱フィン８１が並設される放熱部８０と、を有する器具本体２１と、を備える。放熱部８０の第１端部Ｅ１側に光源収容部２３を配置し、第１端部Ｅ１に対向する第２端部Ｅ２側に電源収容部２４を配置した照明器具１１とする。【選択図】図５
2014035833.tif 000002
【特許請求の範囲】
【請求項１】
半導体発光素子を有する光源部と、
前記光源部の点灯電流を制御する電源装置と、
前記光源部を収容する光源収容部と、前記電源装置を収容する電源収容部と、複数の放熱フィンが並設される放熱部と、を有する器具本体と、
を備え、
前記放熱部の第１端部側に前記光源収容部を配置し、前記第１端部に対向する第２端部側に前記電源収容部を配置した、
ことを特徴とする照明器具。
【請求項２】
請求項１に記載の照明器具であって、
前記第１端部側から前記第２端部側に向かう方向を第１方向とし、前記第１方向に交差する方向を第２方向として、
前記放熱部は、隣接する前記放熱フィンの間に前記第２方向に貫通する間隙を設けた、
ことを特徴とする照明器具。
【請求項３】
請求項１又は２のいずれか１項に記載の照明器具であって、
前記放熱部は、隣接する前記放熱フィンの間に傾斜面を有しており、前記傾斜面は、前記器具本体の外側に向けて傾斜している、
ことを特徴とする照明器具。
【請求項４】
請求項１から３のいずれか１項に記載の照明器具であって、
前記放熱部は、前記光源収容部と前記電源収容部を連通させる通線部を有しており、前記通線部は、隣接する前記放熱フィンとの間に間隙を有する、
ことを特徴とする照明器具。
【請求項５】
請求項４に記載の照明器具であって、
前記通線部は、内部に通線用穴が形成されており、前記通線用穴は、前記第１方向における中心部の断面積に対して、前記第１方向における両端部における断面積を大きくした、
ことを特徴とする照明器具。
【発明の詳細な説明】
【技術分野】
【０００１】
本発明は、半導体発光素子を有する光源部と、光源部の点灯電流を制御する電源装置とを器具本体内に配置した照明器具に関する。
【背景技術】
【０００２】
従来、半導体発光素子を有する光源部と電源装置とが設けられ、器具本体にブラケットなどの支持部が設けられている照明器具が知られている（例えば、特許文献１参照。）。特許文献１の照明器具は、光源部は器具本体内に配置されているが、電源装置は器具本体内には配置されていない。
【０００３】
一方、光源部と電源装置とが器具本体内に配置されている照明器具も知れられている。このような照明器具として、例えば、屋外に設置されるスポットライトがある。
【０００４】
屋外に配置される照明器具は、高い防水性が要求される。器具本体内に光源部と電源装置とを収容することで、照明器具の防水性を高めることができる。
【０００５】
また、照明器具は、支持部をブラケット型からスパイク型（杭のように地面に突き刺して照明器具を支持する）にするなど、商品のバリエーション展開を行う場合がある。このような場合に、光源部と電源装置とが器具本体内に収容されていれば、バリエーション展開の際に設計変更部分が少なくて済み、バリエーション展開を容易に行うことができる。
【先行技術文献】
【特許文献】
【０００６】
【特許文献１】特開２０１１−１５９４４７号公報
【発明の概要】
【発明が解決しようとする課題】
【０００７】
しかしながら、光源部と電源装置は、点灯中は電気素子が発する熱によって高温となる可能性がある。器具本体内に光源部と電源装置とを収容した場合、光源部と電源装置から発生する熱が器具本体の内部に溜まる。半導体発光素子は、温度が高くなると効率が低下して光量が低下するという特性があるため、光源部と電源装置とが収容された照明器具は、電源装置から光源部に送る電力が同じでも光量が低下してしまうという問題がある。また、光量を上げるために電源装置から光源部への出力電力を上げると、半導体発光素子からより多くの熱が発生してしまうという問題がある。
【０００８】
本発明は、上記課題を解決すべくなされたものである。本発明の第１の目的は、光源部と電源装置を器具本体内に配置した照明器具において、放熱性を高めることである。
【課題を解決するための手段】
【０００９】
本発明の解決しようとする課題は以上の如くであり、次にこの課題を解決するための手段を説明する。
【００１０】
即ち、本願に開示する照明器具は、光源部と、電源装置と、器具本体と、を備える。
光源部は、半導体発光素子を有する。
電源装置は、光源部の点灯電流を制御する。
器具本体は、光源部を収容する光源収容部と、電源装置を収容する電源収容部と、複数の放熱フィンが並設される放熱部と、を有する。
放熱部の第１端部側に光源収容部を配置し、第１端部に対向する第２端部側に電源収容部を配置する。
【００１１】
照明器具は、第１端部側から第２端部側に向かう方向を第１方向とし、第１方向に交差する方向を第２方向として、
放熱部は、隣接する放熱フィンの間に第２方向に貫通する間隙を設ける。
【００１２】
照明器具の放熱部は、隣接する放熱フィンの間に傾斜面を有しており、傾斜面は、器具本体の外側に向けて傾斜している。
【００１３】
照明器具の放熱部は、光源収容部と電源収容部を連通させる通線部を有しており、通線部は、隣接する放熱フィンとの間に間隙を有する。
【００１４】
照明器具の通線部は、内部に通線用穴が形成されており、通線用穴は、第１方向における中心部の断面積に対して、第１方向における両端部における断面積を大きくする。
【発明の効果】
【００１５】
本願に開示する照明器具によれば、光源部と電源装置を器具本体内に配置した照明器具において、放熱性を高めることができる。
【図面の簡単な説明】
【００１６】
【図１】本発明の実施例１に係る照明器具１１の側面図。
【図２】図１の２矢視図。
【図３】図１の３矢視図。
【図４】図１の４矢視図。
【図５】図２の５−５線における一部を省略した断面図。
【図６】図２の６−６線における断面図。
【図７】図１の７−７線における断面図。
【図８】本発明の実施例２に係る照明器具１１の一部を省略した断面図。
【図９】本発明の実施例２に係る照明器具１１の断面図。
【発明を実施するための形態】
【００１７】
次に、発明の実施の形態について図を用いて説明する。
【実施例１】
【００１８】
本発明の実施例１に係る照明器具１１について、図１から図７を用いて説明する。実施例１の照明器具１１は、屋外に設置されるスポットライトである。照明器具１１は、図１、図５に示すように、器具本体２１、光源部６０、電源装置７０、放熱部８０、及び支持部９０を有している。
【００１９】
図１から図４に示すように、器具本体２１は、略円柱形である。図５に示すように、器具本体２１は、器具主体２２、第１蓋体３１、及び第２蓋体３２を有している。器具主体２２、第１蓋体３１、及び第２蓋体３２は、高い熱伝導性を有するアルミニウム等の金属素材を用いて形成されている。尚、器具主体２２、第１蓋体３１、及び第２蓋体３２は、金属素材で形成することに限らず、少なくとも熱伝導性が高い材料で形成されていればよい。また、器具主体２２、第１蓋体３１、及び第２蓋体３２は、高い熱伝導性を有する銀や銅等で形成することも可能であるが、強度、耐久性、材料コスト等を考慮してアルミニウムで形成することが好ましい、
【００２０】
器具主体２２は、光源部６０及び電源装置７０を収容するとともに、放熱部８０が形成されている部分である。放熱部８０は、器具主体２２の略中央部分に形成されている。尚、放熱部８０は、器具主体２２の中央部分に限らず、光源収容部２３に近い位置、または電源収容部２４に近い位置に形成されていてもよい。放熱部８０の構成については後に詳細に説明するが、放熱部８０には複数の放熱フィン８１が並設されている（図７参照）。
【００２１】
円柱形に形成された器具本体２１において、中心軸に沿う方向を「軸方向」と定義し、軸方向に直交する方向を「径方向」と定義する。図１に示すように、放熱部８０の軸方向における一方の端部を第１端部Ｅ１とし、第１端部Ｅ１に対して軸方向に対向する他方の端部を第２端部Ｅ２とする。放熱部８０の第１端部Ｅ１側には光源収容部２３が配置される。光源収容部２３は、光源部６０を収容する部分である。図５、及び図６に示すように、光源収容部２３は、第３隔壁５３、第１側壁５４、及び第１蓋体３１を備える。第３隔壁５３は、放熱部８０の軸方向における一方の端部（複数の放熱フィン８１の第１端部Ｅ１側）に一体の部材として形成される。第１側壁５４は、第３隔壁５３の周縁部から軸方向に突設されている。なお、本明細書において「一体の部材」とは、分離独立した複数の部材が一つに結合したものではなく、成型段階で一つの部材として作られた部材である。ただし、本発明における「一体の部材」は、成型段階で一つの部材として作られた部材に限らず、分離独立した複数の部材が一つに結合した部材を含むように広義な意味を持つこととする。
【００２２】
第１蓋体３１は、第１側壁５４で形成される開口部４３を覆うように取り付けられる部材である。第１蓋体３１には、光照射穴４１が形成されている。光照射穴４１は、軸方向に貫通している。光照射穴４１を介して、光源部６０から出射される光が外部へ照射される。光照射穴４１には、透光部材４２が取り付けられる。透光部材４２は、透光性を有するガラスや合成樹脂素材等で形成されている。透光部材４２は、シリコン接着剤等で第１蓋体３１の内側に取り付けられる。第１蓋体３１は、光源部６０を器具本体２１に取り付けた後、第１側壁５４に螺合させて取り付けられ、光源収容部２３を構成する。第１蓋体３１と第１側壁５４との間には、パッキン（図示せず）を介在させており、光源収容部２３の防水性を確保している。尚、照明器具１１を屋内等のように雨滴がかからない環境で使用する場合は、パッキンは不要である。また、第１蓋体３１と第１側壁５４との結合方法は、螺合に限らず、第１蓋体３１の内面に凹部を備えて第１側壁５４の外面に凸部を備え、凹凸嵌合させて結合する構成であってもよい。
【００２３】
図１に示すように、放熱部８０の軸方向における第２端部Ｅ２側には電源収容部２４が配置される。電源収容部２４は、電源装置７０を収容する部分である。図５、及び図６に示すように、電源収容部２４は、第１隔壁５１、第２側壁５５、及び第２蓋体３２を備える。第１隔壁５１は、放熱部８０の複数の放熱フィン８１の第２端部Ｅ２側に一体の部材として形成される。第２側壁５５は、第１隔壁５１の周縁部から軸方向に突設されている。
【００２４】
第２蓋体３２は、第２側壁５５で形成される開口部４４を覆うように取り付けられる部材である。第２蓋体３２は、第２隔壁５２及び第３側壁５６を有している。第２隔壁５２は、第２蓋体３２が器具主体２２に取り付けられると第１隔壁５１に対向する位置に配置される部材である。第３側壁５６は、第２隔壁５２の周縁部から軸方向に突設されている。
【００２５】
図６に示すように、第２隔壁５２、及び第３側壁５６には、周縁部の２か所に貫通穴４６が形成されている。第２側壁５５には、貫通穴４６に対応する位置に固定部４７が設けられ、ネジ穴４８が形成されている。電源装置７０を第２隔壁５２に取り付けた後、貫通穴４６に通したボルト４９をネジ穴４８に螺合させることにより、第２蓋体３２は器具主体２２に取り付けられ、電源収容部２４が構成される。第２蓋体３２と器具主体２２との間には、パッキン（図示せず）を介在させており、電源収容部２４の防水性を確保している。尚、照明器具１１を屋内等のように雨滴がかからない環境で使用する場合は、パッキンは不要である。また、第２蓋体３２と器具主体２２との結合方法は、螺合であってもよい。
【００２６】
放熱部８０は、光源部６０と電源装置７０で発生した熱を放熱するためのものである。図１、図４、図６、及び図７に示すように、放熱部８０には、複数の放熱フィン８１が径方向に並設されている。本実施例では、放熱部８０の径方向中央部に第１放熱フィン８１１が設けられる。放熱部８０は、第１放熱フィン８１１の径方向における両側方に、順次、第２放熱フィン８１２、第３放熱フィン８１３、第４放熱フィン８１４、及び第５放熱フィン８１５が設けられている。
【００２７】
ここで、図１に示すように、放熱部８０の軸方向において第１端部Ｅ１側から第２端部Ｅ２側に向かう方向を第１方向Ｄ１とし、第１方向Ｄ１に交差する方向を第２方向Ｄ２とすると、図７に示すように、放熱部８０は、隣接する放熱フィン８１の間に第２方向Ｄ２（径方向）に貫通する間隙８２を設けている。間隙８２は、第１放熱フィン８１１と第２放熱フィン８１２との間、第２放熱フィン８１２と第３放熱フィン８１３との間、第３放熱フィン８１３と第４放熱フィン８１４との間、第４放熱フィン８１４と第５放熱フィン８１５との間にそれぞれ設けられている。
【００２８】
放熱部８０は、放熱フィン８１の第２方向Ｄ２における両端に自由端部８３を有している。自由端部８３は、第１放熱フィン８１１、第２放熱フィン８１２、第３放熱フィン８１３、第４放熱フィン８１４、及び第５放熱フィン８１５のそれぞれに設けられている。放熱フィン８１は、第２方向における中心部の厚みに対して、自由端部８３における厚みを薄くしている。具体的には、第１放熱フィン８１１、第２放熱フィン８１２、第３放熱フィン８１３、第４放熱フィン８１４、及び第５放熱フィン８１５のそれぞれにおいて、第２方向における中心部の厚みに対して、自由端部８３の厚みが薄くなるよう、厚みを漸減させている。
【００２９】
放熱部８０は、隣接する放熱フィン８１の間に傾斜面８４を有しており、傾斜面８４は、器具本体２１の外側に向けて傾斜している。具体的には、傾斜面８４は、第１放熱フィン８１１と第２放熱フィン８１２との間、第２放熱フィン８１２と第３放熱フィン８１３との間、第３放熱フィン８１３と第４放熱フィン８１４との間、及び第４放熱フィン８１４と第５放熱フィン８１５との間に設けられている。尚、放熱フィン８１に傾斜面８４を備えることは必須ではない。
【００３０】
図６、及び図７に示すように、放熱部８０は、光源収容部２３と電源収容部２４を連通させる通線部８５を有している。通線部８５は、光源部６０と電源装置７０とを電気的に接続する第１電線Ｌ１を敷設するためのものである。図７に示すように、本実施例では、通線部８５は、第１放熱フィン８１１の第２方向における中心部において、第１放熱フィン８１１と一体の部材として形成されている。通線部８５は、外形断面形状が、第２方向における中心部の厚みに対して、第１放熱フィン８１１の自由端部８３側における厚みが薄くなるようにしている。具体的には、通線部８５の断面形状を、略菱形としている。通線部８５は、隣接する第２放熱フィン８１２との間に間隙を確保するようにしている。
【００３１】
通線部８５は、内部に通線用穴８６が形成されている。通線用穴８６は、第１電線Ｌ１を通すための貫通穴であり、通線部８５、第１隔壁５１、及び第３隔壁５３を貫通している。通線用穴８６は、第１方向Ｄ１における中心部の断面積に対して、第１方向Ｄ１における両端部における断面積を大きくしている。本実施例では、通線部８５の断面形状が略菱形であるため、通線用穴８６の断面形状も略菱形となるようにしている。通線用穴８６の断面積は、通線用穴８６の内壁が第１電線Ｌ１に接触する程度とすることが好ましい。この場合、第１電線Ｌ１で発生した熱を速やかに放熱部８０に伝導させることができる。通線用穴８６は、光源収容部２３側では、第３隔壁５３に形成した通線用溝８７に連通している。第１電線Ｌ１は、通線用溝８７を介して光源部６０まで敷設されている。
【００３２】
図５、及び図６に示すように、光源部６０は、略平面状の照射面６１を備えており、光源収容部２３の内部において、照射面６１を第１蓋体３１の光照射穴４１に向けて配置される。光源部６０は、半導体発光素子としてのＬＥＤ素子６２、光源基板６３、及びレンズ６４を有している。光源基板６３には、複数のＬＥＤ素子６２が同心円状に並ぶ配置で実装されている（図２参照）。光源基板６３は、第３隔壁５３に面接触するように固定されている。これにより、光源基板６３で発生した熱を第３隔壁５３に伝えることができ、光源基板６３の放熱性を高めることができる。
【００３３】
レンズ６４は、各ＬＥＤ素子６２から出射される光を透過させて、照射面６１を形成する部材である。レンズ６４は、透光性を有する合成樹脂素材等で形成されており、ＬＥＤ素子６２に軸方向に対向する位置に配置されている。尚、本実施例では、照射面６１が略平面状のものを説明したが、照射面６１は略平面状のものに限らず、例えば球面状等であってもよい。
【００３４】
光源部６０のＬＥＤ素子６２は、放熱フィン８１（第１放熱フィン８１１、第２放熱フィン８１２、第３放熱フィン８１３、第４放熱フィン８１４、及び第５放熱フィン８１５）が形成されている領域を第１方向に延長した仮想領域内に配置されていることが好ましい。尚、場合によっては、ＬＥＤ素子６２が放熱フィンと放熱フィンとの間に配置される可能性があるが、仮想領域内に配置されるＬＥＤ素子６２をできるだけ多くすることで、ＬＥＤ素子６２の放熱性を向上できる。
【００３５】
電源装置７０は、光源部６０の点灯電流を制御するものである。電源装置７０は、電気部品７１、電源基板７２、及び放熱板７３を有している。電気部品７１は、ＬＥＤ素子６２の点灯電流を制御するものである。電気部品７１は、電源基板７２に実装されている。放熱板７３は、電源装置７０自体に設けられている放熱のための部品であり、門形状の金属部品である。放熱板７３は、電源基板７２に固定されている。放熱板７３は、電気部品７１から輻射される熱を伝導する。電源装置７０は、電源収容部２４の内部において、放熱板７３の平坦な面を第２隔壁５２に接触させた状態で固定される。これにより、電気部品７３から輻射される熱は、放熱板７３、第２蓋体３２、及び放熱部８０を介して、外部に放出される。電源装置７０には、第２電線Ｌ２が接続されている。第２電線Ｌ２は、支持部９０の内部に挿通され、外部電源と電気的に接続される。
【００３６】
支持部９０は、天井や壁面等の取付対象面に固定されるとともに、器具本体２１を支持するものである。本実施例の支持部９０は、ブラケット型であり、器具本体２１を伏仰自在、及び回転自在に支持する。支持部９０は、基台９１、接続部９２、第１軸９３、及び第２軸としてのアーム９４を有する。
【００３７】
基台９１は、天井や壁面等の取付対象面に固定される部分である。接続部９２は、器具本体２１とアーム９４を接続するものである。本実施例では、接続部９２は、器具本体２１の電源収容部２４に設けられている。具体的には、接続部９２は電源収容部２４を構成する第２蓋体３２に一体の部材として形成されている。
【００３８】
第１軸９３は、接続部９２とアーム９４の回転軸である。本実施例では、第１軸９３は、その軸方向が、第１方向Ｄ１及び第２方向Ｄ２に対して直交するように設けられている。このため、照明器具１１が、アーム９４の長手方向が鉛直方向に沿う姿勢で設置された場合、第１軸９３は、器具本体２１の伏仰方向（図１における矢印Ｒ１の方向）の回転軸となる。
【００３９】
アーム９４は、基台９１に対して回転するように構成されている。本実施例では、アーム９４は、第２方向Ｄ２と平行となる姿勢をとり得るように設けられている。照明器具１１のアーム９４が鉛直方向に沿う姿勢で設置された場合、アーム９４は、器具本体２１の水平方向（図１における矢印Ｒ２の方向）の回転軸となる。
【００４０】
以上説明した本実施例に係る照明器具１１によれば、次のような効果を有する。
【００４１】
照明器具１１は、放熱部８０の軸方向における第１端部Ｅ１側に光源収容部２３を配置し、第１端部Ｅ１に対して軸方向に対向する第２端部Ｅ２側に電源収容部２４を配置した。このため、２つの熱源である光源部６０と電源装置７０との間に放熱部８０が配置されることとなり、２つの熱源を離し、かつ、２つの熱源が発する熱を１つの放熱部８０で放熱することが可能となる。よって、光源部６０と電源装置７０を一体にした照明器具１１において、放熱性を高めることができる。また、光源部６０と電源装置７０を器具本体２１内に配置した照明器具１１において、より大きな電流を流すことを可能となり、明るく効率の良い配光を得ることが可能となる。
【００４２】
照明器具１１の放熱部８０は、隣接する放熱フィン８１の間に第２方向Ｄ２に貫通する間隙８２を設けた。このため、照明器具１１の放熱性を高めることができるとともに、放熱部８０に雨水等がかかっても放熱フィン８１に水が溜まりにくく、排水性を高めることができる。排水性を高めることにより、放熱フィン８１の腐食を防ぐことができるとともに、水の滞留による放熱性の低下を防ぐことができる。また、間隙８２を設けることで、放熱フィン８１の間に埃等の異物が滞留することを軽減でき、異物が滞留することによる放熱性の低下を防ぐことができる。たとえ、放熱フィン８１の間に埃等の異物が滞留したとしても、間隙８１が第２方向Ｄ２に貫通しているため、容易に異物を除去することができる。
【００４３】
照明器具１１の放熱部８０は、放熱フィン８１の第２方向Ｄ２における両端に自由端部８３を有しており、第２方向Ｄ２における中心部の厚みに対して、自由端部８３における厚みを薄くした。このため、放熱部８０の放熱フィン８１に雨水等がかかっても、放熱フィン８１に水が溜まりにくく、排水性を高めることができる。排水性を高めることにより、放熱フィン８１の腐食を防ぐことができるとともに、水の滞留による放熱性の低下を防ぐことができる。
【００４４】
照明器具１１の放熱部８０は、隣接する放熱フィン８１の間に傾斜面８４を有しており、傾斜面８４は、器具本体２１の外側に向けて傾斜している。このため、放熱部８０の放熱フィン８１に雨水等がかかっても、放熱フィン８１に水が溜まりにくく、排水性を高めることができる。排水性を高めることにより、放熱フィン８１の腐食を防ぐことができるとともに、水の滞留による放熱性の低下を防ぐことができる。
【００４５】
照明器具１１の放熱部８０は、光源収容部２３と電源収容部２４を連通させる通線部８５を有しており、通線部８５は、隣接する放熱フィン８１との間に間隙８２を有する。このため、通線部８５の放熱性を高めることができる。
【００４６】
照明器具１１の通線部８５は、放熱フィン８１と一体の部材として形成されており、第２方向Ｄ２における中心部の厚みに対して、放熱フィン８１の自由端部８３側における厚みを薄くした。このため、放熱部８０の通線部８５に雨水等がかかっても、通線部８５に水が溜まりにくく、排水性を高めることができる。
【００４７】
照明器具１１の通線部８５は、内部に通線用穴８６が形成されており、通線用穴８６は、第１方向Ｄ１における中心部の開口面積に対して、第１方向Ｄ１における両端部における開口面積を大きくした。このため、通線部８５の内部の熱を両端から排熱することができ、通線部８５の放熱性を高めることができる。また、光源部６０と電源装置７０を接続する第１電線Ｌ１を通線部８５に通す際に、両端部の開口面積が大きいため第１電線Ｌ１の端部を通線部８５に挿入し易く、照明器具１１の組み立て作業性が向上する。
【００４８】
照明器具１１の光源部６０は、放熱フィン８１が形成されている領域を第１方向に延長した仮想領域内に、ＬＥＤ素子６２を配置する構成とすることが好ましい。このような構成とすることで、ＬＥＤ素子６２で発生した熱が放熱フィン８１に伝わりやすく、光源部６０で発生した熱を放熱することができる。
【００４９】
照明器具１１は、伏仰方向の回転軸を第１軸９３とし、回転方向の回転軸を第２軸としてのアーム９４として、第１軸９３は第１方向Ｄ１及び第２方向Ｄ２と直交し、アーム９４は第２方向Ｄ２と平行な姿勢をとり得る構成とした。このため、第２方向Ｄ２が鉛直方向となるように照明器具１１を配置した場合、放熱フィン８１の間の間隙８２が鉛直方向に貫通する姿勢となって自然通風しやすく、放熱部８０と外気との熱交換を効率よく行うことができる。
【００５０】
照明器具１１の支持部９０は、器具本体２１の電源収容部２４側に設けられている。このため、支持部９０の内部から電源装置７０まで、電力の供給のための第２電線Ｌ２の取り回しを容易に行うことができる。
【００５１】
照明器具１１の電源収容部２４は、放熱部８０に隣接する第１隔壁５１と、第１隔壁５１に対向する第２隔壁５２とを有し、電源装置７０は、第２隔壁５２に取り付けられている。電源装置７０を光源収容部２３から離して配置できるため、電源装置７０の熱の影響を光源部６０に与えにくくすることができる。
【実施例２】
【００５２】
次に、本発明の実施例２に係る照明器具１１について、図８、及び図９を用いて説明する。本実施例の照明器具１１は、第２蓋体３２を有さない点、及び電源装置７０が、第２隔壁５２ではなく、第１隔壁５１に取り付けられている点が実施例１と大きく異なっている。実施例１と同一部分は同一符号を付して詳しい説明は省略する。
【００５３】
図８、及び図９に示すように、電源収容部２４は、第１隔壁５１、第４側壁５７、及び第３蓋体３３を備える。第４側壁５７は、第１隔壁５１の周縁部から器具本体２１の端部まで軸方向に突設されている。第４側壁５７の端部には、開口部４５が形成されている。開口部４５は、電源装置７０等を電源収容部２４の内部に取り付ける際に、電源装置７０等を挿入するためのものである。電源装置７０は、電源収容部２４の内部において、放熱板７３の平坦な面を第１隔壁５１に接触させた状態で固定される。開口部４５は、電源装置７０等を器具本体２１に取り付けた後、第３蓋体３３によって密閉され、電源収容部２４の防水性を確保している。
【００５４】
以上説明した本実施例に係る照明器具１１によれば、次のような効果を有する。
【００５５】
照明器具１１によれば、電源収容部２４は、放熱部８０に隣接する第１隔壁５１を有し、電源装置７０は、第１隔壁５１に取り付けられている。電源装置７０を放熱部８０に隣接して配置できるため、電源装置７０の熱を放熱部８０によって効率的に放熱することができる。
【００５６】
第４側壁５７は、第１隔壁５１の周縁部から器具本体２１の端部まで軸方向に突設されており、第２蓋体３２を有さないため、第２蓋体３２を取り付けるためのボルト４９が不要になる。
【００５７】
以上、本発明の実施の形態について説明したが、本発明は上記実施例に限定されるものではなく、様々な変更が可能である。例えば、支持部９０は、器具本体２１の電源収容部２４側に設けたが、例えば、放熱部８０側に設けてもよい。この場合、器具本体２１を重心位置付近で支持することとなるため、重量バランスが良くなる。
【００５８】
通線部８５は、第１放熱フィン８１１の中心部に設けたが、通線部８５を設ける位置はこの位置に限定されない。例えば、器具本体２１の外周縁部付近など、第２電線Ｌ２を取り回しやすい位置に設けてもよい。
【００５９】
支持部９０は、ブラケット型に限定されず、例えば、スパイク型（杭のように地面に突き刺して照明器具を支持する）としてもよい。
【００６０】
通線部８５の外形断面形状を略菱形としたが、円形にしてもよい。また、通線用穴８６の断面形状も略菱形としたが、円形であってもよい。
【符号の説明】
【００６１】
１１      照明器具
２１      器具本体
２３      光源収容部
２４      電源収容部
６０      光源部
６２      ＬＥＤ素子
７０      電源装置
８０      放熱部
８１      放熱フィン
８２      間隙
８３      自由端部
８４      傾斜面
８５      通線部
８６      通線用穴
９０      支持部
９２      接続部
９３      第１軸
９４      アーム
【図１】
2014035833.tif 000003
【図２】
2014035833.tif 000004
【図３】
2014035833.tif 000005
【図４】
2014035833.tif 000006
【図５】
2014035833.tif 000007
【図６】
2014035833.tif 000008
【図７】
2014035833.tif 000009
【図８】
2014035833.tif 000010
【図９】
2014035833.tif 000011